(57)【要約】【課題】観客に浮遊感を体験させることが可能な浮遊感体験型映像劇場、及び映像劇場における映像表示方法を提供する。【解決手段】観客３を囲むように映像を表示する平面視多角形状の周壁部４と、その周壁部４に表示された映像を反射する天井部５及び床部６と、映写機７と、音響機器８とを備えて浮遊感体験型映像劇場１を構成する。周壁部４は、二つのスクリーン９と三つのミラー壁１０とを備えて構成する。周壁部４と天井部５と床部６とで映像の反射の繰り返しを無限に継続させる。そして、水平方向及び上下方向から観客３を映像で包み込み、観客３に浮遊感を体験させる。【選択図】    図１
2004329391.tif 000002
【特許請求の範囲】
【請求項１】
少なくとも観客の前方に位置する一又は複数のスクリーンを有し、該スクリーン以外の側壁面と天井及び床とを、ミラー状態と非ミラー状態とに切り替え可能に構成し、且つ前記ミラー状態にあっては劇場の水平方向及び上下方向に映像が広がるように配置した
ことを特徴とする浮遊感体験型映像劇場。
【請求項２】
一又は複数のスクリーンを有し、該スクリーンと映像反射用のミラー壁とによって、又は前記スクリーンによって、観客を囲むように映像を表示する平面視多角形状の周壁部と、
前記スクリーンに前記映像を投射する映写機と、
前記観客に音を伝搬する音響機器と、
前記周壁部の上に位置するとともに、前記観客の上で前記映像を反射する天井部と、
前記周壁部の下に位置するとともに、前記観客の下で前記映像を反射する床部と、
を含んで構成した
ことを特徴とする浮遊感体験型映像劇場。
【請求項３】
請求項２に記載の浮遊感体験型映像劇場において、
前記床部を、透明性を有する床と、該床の下側に位置するハーフミラーと、該ハーフミラーの下側に位置する照明設備とを含んで構成した
ことを特徴とする浮遊感体験型映像劇場。
【請求項４】
請求項３に記載の浮遊感体験型映像劇場において、
前記床を強化ガラスで形成した
ことを特徴とする浮遊感体験型映像劇場。
【請求項５】
請求項３又は請求項４に記載の浮遊感体験型映像劇場において、
前記ハーフミラーと前記照明設備との間に、半透明性を有するフィルム又は板状の光透過層を介在させた
ことを特徴とする浮遊感体験型映像劇場。
【請求項６】
請求項２ないし請求項５いずれか記載の浮遊感体験型映像劇場において、
前記天井部を、劇場の水平方向に沿って配置、又は前記スクリーンから遠ざかるにつれて前記床部に近づくような傾斜する状態に配置した
ことを特徴とする浮遊感体験型映像劇場。
【請求項７】
請求項６に記載の浮遊感体験型映像劇場において、
前記天井部を、天井と該天井に固定されるミラー幕とを含んで構成した
ことを特徴とする浮遊感体験型映像劇場。
【請求項８】
請求項２ないし請求項７いずれか記載の浮遊感体験型映像劇場において、
前記観客の後方に位置するとともに、前記映像の反射をすることのない非ミラー壁を、前記周壁部に含ませた
ことを特徴とする浮遊感体験型映像劇場。
【請求項９】
請求項２ないし請求項８いずれか記載の浮遊感体験型映像劇場において、
前記ミラー壁をミラー状態から非ミラー状態に切り換えするための、又は、前記ミラー壁と前記天井部とをそれぞれミラー状態から非ミラー状態に切り換えするための、非ミラー化手段を更に含んで構成した
ことを特徴とする浮遊感体験型映像劇場。
【請求項１０】
請求項２ないし請求項９いずれか記載の浮遊感体験型映像劇場において、
前記平面視多角形状を正五角形状とした
ことを特徴とする浮遊感体験型映像劇場。
【請求項１１】
少なくとも観客の前方に位置する一又は複数のスクリーンに投射した映像を、劇場の水平方向及び上下方向に反射させることにより、前記観客に浮遊感を体験させるようにした
ことを特徴とする映像劇場における映像表示方法。
【請求項１２】
請求項１１に記載の映像劇場における映像表示方法において、
前記映像の非投射時に、少なくとも前記観客の前記下方向での反射機能を無くすようにした
ことを特徴とする映像劇場における映像表示方法。
【請求項１３】
少なくとも観客の前方に位置する一又は複数のスクリーン以外の側壁面と天井及び床とを、非ミラー状態からミラー状態に切り替えて劇場の水平方向及び上下方向に映像を広がらせ、観客に浮遊感を体験させるようにした
ことを特徴とする映像劇場における映像表示方法。
【発明の詳細な説明】
【０００１  】
【発明の属する技術分野】
本発明は、劇場内にいる観客に浮遊感を体験させることが可能な浮遊感体験型映像劇場、及び、浮遊感を体験させるための映像劇場における映像表示方法に関する。
【０００２  】
【従来の技術】
スクリーンに投射された映像に「滑り込む」ような感覚を観客に与える映画劇場としては、下記特許文献１に開示された臨場体験型の映画劇場が一般的に知られている。
【０００３  】
【特許文献１】
特表２００２−５１３１７０号公報  （第６−８頁、第１−３図）
【０００４  】
【発明が解決しようとする課題】
上記従来の臨場体験型映画劇場にあっては、スクリーンに投射された映像に「滑り込む」ような感覚を観客に体験させることができる。しかしながら、例えば恰も宇宙空間に浮いているような浮遊感を観客に体験させることまではできなかった。
【０００５  】
本願発明者は、観客に浮遊感を体験させて演出効果を高めようと考えている。
【０００６  】
本発明は、上述した事情に鑑みてなされるもので、観客に浮遊感を体験させることが可能な浮遊感体験型映像劇場、及び映像劇場における映像表示方法を提供することを課題とする。
【０００７  】
【課題を解決するための手段】
上記課題を解決するためなされた請求項１記載の本発明の浮遊感体験型映像劇場は、少なくとも観客の前方に位置する一又は複数のスクリーンを有し、該スクリーン以外の側壁面と天井及び床とを、ミラー状態と非ミラー状態とに切り替え可能に構成し、且つ前記ミラー状態にあっては劇場の水平方向及び上下方向に映像が広がるように配置したことを特徴としている。
【０００８  】
上記課題を解決するためなされた請求項２記載の本発明の浮遊感体験型映像劇場は、一又は複数のスクリーンを有し、該スクリーンと映像反射用のミラー壁とによって、又は前記スクリーンによって、観客を囲むように映像を表示する平面視多角形状の周壁部と、前記スクリーンに前記映像を投射する映写機と、前記観客に音を伝搬する音響機器と、前記周壁部の上に位置するとともに、前記観客の上で前記映像を反射する天井部と、前記周壁部の下に位置するとともに、前記観客の下で前記映像を反射する床部と、を含んで構成したことを特徴としている。
【０００９  】
請求項３記載の本発明の浮遊感体験型映像劇場は、請求項２に記載の浮遊感体験型映像劇場において、前記床部を、透明性を有する床と、該床の下側に位置するハーフミラーと、該ハーフミラーの下側に位置する照明設備とを含んで構成したことを特徴としている。
【００１０  】
請求項４記載の本発明の浮遊感体験型映像劇場は、請求項３に記載の浮遊感体験型映像劇場において、前記床を強化ガラスで形成したことを特徴としている。
【００１１  】
請求項５記載の本発明の浮遊感体験型映像劇場は、請求項３又は請求項４に記載の浮遊感体験型映像劇場において、前記ハーフミラーと前記照明設備との間に、半透明性を有するフィルム又は板状の光透過層を介在させたことを特徴としている。
【００１２  】
請求項６記載の本発明の浮遊感体験型映像劇場は、請求項２ないし請求項５いずれか記載の浮遊感体験型映像劇場において、前記天井部を、劇場の水平方向に沿って配置、又は前記スクリーンから遠ざかるにつれて前記床部に近づくような傾斜する状態に配置したことを特徴としている。
【００１３  】
請求項７記載の本発明の浮遊感体験型映像劇場は、請求項６に記載の浮遊感体験型映像劇場において、前記天井部を、天井と該天井に固定されるミラー幕とを含んで構成したことを特徴としている。
【００１４  】
請求項８記載の本発明の浮遊感体験型映像劇場は、請求項２ないし請求項７いずれか記載の浮遊感体験型映像劇場において、前記観客の後方に位置するとともに、前記映像の反射をすることのない非ミラー壁を、前記周壁部に含ませたことを特徴としている。
【００１５  】
請求項９記載の本発明の浮遊感体験型映像劇場は、請求項２ないし請求項８いずれか記載の浮遊感体験型映像劇場において、前記ミラー壁をミラー状態から非ミラー状態に切り換えするための、又は、前記ミラー壁と前記天井部とをそれぞれミラー状態から非ミラー状態に切り換えするための、非ミラー化手段を更に含んで構成したことを特徴としている。
【００１６  】
請求項１０記載の本発明の浮遊感体験型映像劇場は、請求項２ないし請求項９いずれか記載の浮遊感体験型映像劇場において、前記平面視多角形状を正五角形状としたことを特徴としている。
【００１７  】
上記課題を解決するためなされた請求項１１記載の本発明の映像表示方法は、少なくとも観客の前方に位置する一又は複数のスクリーンに投射した映像を、劇場の水平方向及び上下方向に反射させることにより、前記観客に浮遊感を体験させるようにしたことを特徴としている。
【００１８  】
請求項１２記載の本発明の映像表示方法は、請求項１１に記載の映像劇場における映像表示方法において、前記映像の非投射時に、少なくとも前記観客の前記下方向での反射機能を無くすようにしたことを特徴としている。
【００１９  】
上記課題を解決するためなされた請求項１３記載の本発明の映像表示方法は、少なくとも観客の前方に位置する一又は複数のスクリーン以外の側壁面と天井及び床とを、非ミラー状態からミラー状態に切り替えて劇場の水平方向及び上下方向に映像を広がらせ、観客に浮遊感を体験させるようにしたことを特徴としている。
【００２０  】
請求項１に記載された本発明によれば、スクリーンに投射された映像がミラー状態になった側壁面と天井及び床とに反射すると、劇場の水平方向及び上下方向に映像が広がり、観客が映像の中で恰も浮いているような状態、すなわち観客に浮遊感を体験させることが可能になる。尚、側壁面と天井及び床とをミラー状態から非ミラー状態に切り替えると、それまで体験していた浮遊感がなくなり、観客は一般的な劇場で映像を見るような状態になる。
【００２１  】
請求項２に記載された本発明によれば、スクリーンに投射された映像が周壁部のミラー壁と天井部及び床部とに反射すると、又はスクリーンに投射された映像が天井部及び床部とに反射すると、観客の周囲に映像が広がり、観客が映像の中で恰も浮いているような状態、すなわち観客に浮遊感を体験させることが可能になる。
【００２２  】
請求項３に記載された本発明によれば、照明設備が作動して観客の足下を照明すると、床部が非ミラー状態になって観客の映り込みを阻止することが可能になる。映像の非投射時の特に女性に生じる不快感を解消することが可能になる。
【００２３  】
請求項４に記載された本発明によれば、床部を構成する床が強化ガラスで形成される。これにより、床部の強度を確保することが可能になる。また、床部を構成するハーフミラーをよりよく保護することが可能になる。
【００２４  】
請求項５に記載された本発明によれば、床部を構成するハーフミラーと照明設備との間に光透過層が配置される。光透過層には、観客に照明設備を見せないようにするための機能と、非ミラー状態においてのグラフィカルな床を演出するための機能とを持たせることが可能になる。
【００２５  】
請求項６に記載された本発明によれば、天井部が劇場の水平方向に沿って配置されると、観客の上下方向に映像を広がらせることが可能になる。また、天井部が傾斜する状態に配置されると、観客の上方の映像を球体状に広がらせることが可能になる。
【００２６  】
請求項７に記載された本発明によれば、天井部が天井とミラー幕とを含んで構成される。映像を反射するための部分がミラー幕、すなわち幕状のミラーであることから、既知のミラー（鏡）よりも観客に対する安全性の確保が容易になる。
【００２７  】
請求項８に記載された本発明によれば、周壁部に非ミラー壁が含まれる。例えばその非ミラー壁に劇場への出入口を設定すれば、ミラー壁に出入口を設定する場合よりも映像の表示状態を向上させることが可能になる。
【００２８  】
請求項９に記載された本発明によれば、非ミラー化手段によりミラー壁がミラー状態から非ミラー状態に切り換えられる。また、ミラー壁が非ミラー状態からミラー状態にも切り換えられる。又は、非ミラー化手段によりミラー壁と天井部とがそれぞれミラー状態から非ミラー状態に切り換えられる。また、ミラー壁と天井部とがそれぞれ非ミラー状態からミラー状態にも切り換えられる。このような非ミラー化手段を更に含んで劇場が構成されると、必要に応じて観客に浮遊感を体験させることが可能になる。
【００２９  】
請求項１０に記載された本発明によれば、周壁部が平面視正五角形状に形成される。映像をよりよく反射させるためには、偶数角形状よりも奇数角形状の方が好ましく、中でも正五角形状は、十分な観客スペースを確保し且つコストを低く抑えることが可能な形状になる。
【００３０  】
請求項１１に記載された本発明によれば、スクリーンに投射された映像が劇場の水平方向及び上下方向に広がり、観客が映像の中で恰も浮いているような状態、すなわち観客に浮遊感を体験させることが可能になる。
【００３１  】
請求項１２に記載された本発明によれば、映像の非投射時に床部が非ミラー状態になって観客の映り込みを阻止することが可能になる。映像の非投射時の特に女性に生じる不快感を解消することが可能になる。
【００３２  】
請求項１３に記載された本発明によれば、スクリーンに投射された映像がミラー状態になった側壁面と天井及び床とに反射すると、劇場の水平方向及び上下方向に映像が広がり、観客が映像の中で恰も浮いているような状態、すなわち観客に浮遊感を体験させることが可能になる。
【００３３  】
【発明の実施の形態】
以下、図面を参照して本発明の実施の形態を説明する。
図１は本発明の浮遊感体験型映像劇場の一実施の形態を示す平面図である。また、図２は図１のＡ−Ａ線断面図、図３は天井部の構成説明図、図４は床部の構成説明図、図５及び図６は浮遊感体験型映像劇場において観客が浮遊感を体験するイメージ図である。
【００３４  】
図１及び図２において、引用符号１は例えば博覧会のパビリオン２に設置される本発明の浮遊感体験型映像劇場を示している。その浮遊感体験型映像劇場１は、観客３を囲むように映像を表示する平面視多角形状の周壁部４と、周壁部４に表示された映像を反射する天井部５及び床部６と、映写機７と、音響機器８とを備えて構成されている。また、本発明の浮遊感体験型映像劇場１は、観客３に恰も自分自身が映像の中に浮いているような浮遊感を体験させることができるように構成されている。以下、本発明の浮遊感体験型映像劇場１の構成について詳細に説明する。
【００３５  】
上記周壁部４は、二つのスクリーン９（９ａ、９ｂ）と三つのミラー壁１０（１０ａ〜１０ｃ）とを備えて構成されている。また、周壁部４は、これらスクリーン９及びミラー壁１０を連続させて観客３を囲むように配置形成されている。周壁部４は、平面視正五角形状に配置形成されている。
【００３６  】
スクリーン９ａは、劇場内で着席した状態の観客３の向かって左側に配置されている。また、スクリーン９ｂは、同じく観客３の向かって右側に配置されている。これら二つのスクリーン９ａ、９ｂは、共に同じサイズに形成されており、スクリーン９ａの右端部とスクリーン９ｂの左端部とが連続するように配置されている。
【００３７  】
スクリーン９ａ、９ｂは、それぞれ上端部から下端部にかけて、また、それぞれ左端部から右端部にかけて、映像の投射をすることが可能な状態に形成されている。言い換えれば、スクリーン９ａ、９ｂは、天井部５に対する際部分から床部６に対する際部分にかけて、また、水平方向にかけて映像の投射をすることが可能な状態に形成されている。このようなスクリーン９ａ、９ｂの周縁部には、マスク（不図示）が設けられている。
【００３８  】
ここで、本形態のスクリーン９ａ、９ｂについて具体的に説明すると（一例であるものとする）、幅１２．４ｍ、高さ７ｍのスクリーンサイズに形成されている。また、縦横比が４：３若しくは１６：９となるように形成されている。さらに、マイクロドット５パーセントクラスの特殊な孔を有し、１〜０．６ゲインのものが採用されている。上記マスクは、幅１００ｍｍ以上、５００ｍｍ以下のものが採用されている。
【００３９  】
ミラー壁１０ａは、スクリーン９ａの左端部に連続するように配置されている。また、ミラー壁１０ｂは、スクリーン９ｂの右端部に連続するように配置されている。さらに、ミラー壁１０ｃは、その両側端部にミラー壁１０ａとミラー壁１０ｂとが連続するように配置されている。
【００４０  】
ミラー壁１０ａ〜１０ｃは、それぞれ上端部から下端部にかけて、また、それぞれ左端部から右端部にかけて、映像の反射をすることが可能な状態に形成されている。言い換えれば、ミラー壁１０ａ〜１０ｃは、それぞれ鏡を有しており、観客３側の壁面全体がその鏡となるように形成されている。
【００４１  】
ミラー壁１０ａ〜１０ｃは、平坦なミラー面を有する上記鏡と、その鏡が固定される基壁とを備えて構成されている（構成は一例であるものとする）。また、ミラー壁１０ａ〜１０ｃの周縁部には、スクリーン９ａ、９ｂと同様のマスク（不図示）が設けられている。このようなミラー壁１０ａ及び１０ｂには、非常口専用又は関係者専用のドア１０ａ−１及び１０ｂ−１が設けられている。また、ミラー壁１０ｃには、出入口１０ｃ−１が複数設けられている。
【００４２  】
本形態のミラー壁１０ａ〜１０ｃは、それぞれ幅１２．４ｍ、高さ７ｍのサイズに形成されている。すなわち、スクリーン９ａ、９ｂと同じサイズに形成されている。
【００４３  】
ミラー壁１０ａ〜１０ｃには、ミラー状態（映像が映り込み反射する状態）から非ミラー状態（映像が映り込まない無反射状態）に切り換えをすることが可能な、且つ非ミラー状態からミラー状態に切り換えをすることが可能な非ミラー化手段（不図示）がそれぞれ設けられている。尚、その非ミラー化手段としては、開閉自在のカーテンや幕、又は床部６の後述する構造の適用などが一例として挙げられるものとする。
【００４４  】
上記天井部５は、平面視正五角形状であって、周壁部４の上端部に連続するように配置形成されている。また、天井部５は、観客３の上で映像を反射することができるように形成されている。具体的には、図３に示されるように、ミラー幕５ａと、そのミラー幕５ａが固定される天井５ｂとを備えて構成されている（構成は一例であるものとする。特に図示しないが、上記非ミラー化手段を更に備えているものとする）。
【００４５  】
ミラー幕５ａは、観客３側に配置されている。また、ミラー幕５ａは、平坦なミラー面を有するとともに幕状に形成されている（安全性が確保できれば幕に限るものではない）。ミラー幕５ａは、周壁部４に囲まれる範囲全体が上記ミラー面となるように形成されている。
【００４６  】
本形態のミラー幕５ａは、１．８〜６．５ｋｇ／ｍ２、反射率８３〜９５パーセント、引長強８．３９〜１４．６ｋｇｆ／ｍｍ２であるものとする。また、蒸着成分が銀・アルミニウムであるものとする（一例であるものとする）。
【００４７  】
上記床部６は、平面視正五角形状であって、周壁部４の下端部に連続するように配置形成されている。また、床部６は、観客３の下で映像を反射することができるように形成されている。具体的には、図４に示されるように、透明性を有する床６ａと、ハーフミラー６ｂと、光透過層６ｃと、照明設備６ｄとを備えて構成されている（構成は一例であるものとする）。床部６は、天井部５と同様に劇場の水平方向に沿って配置されている。
【００４８  】
床６ａは、強化ガラスで形成されており、その上には観客３が使用する座席６ａ−１が多数設けられている。図１の破線で囲まれる範囲Ｅは、座席６ａ−１の設置エリアとして設定されている。設置エリアは、本形態の場合、スクリーン９ａ、９ｂからそれぞれ３．５５ｍ、ミラー壁１０ａ〜１０ｃからそれぞれ１．８０ｍ離れるように設定されている。座席６ａ−１は、スクリーン９ａ、９ｂ側の座面が一番低くなるように設定されている。
【００４９  】
ハーフミラー６ｂは、入射光束の一部を反射するとともに一部を透過する反射鏡であって、床６ａの下側に配置されている。また、ハーフミラー６ｂは、周壁部４に囲まれる範囲全体に配置されている。ハーフミラー６ｂは、映像の非投射時において、観客３の映り込みを阻止するために設定されている（例えばスカートを履いた女性が安心して本発明の浮遊感体験型映像劇場１に入場できるようにするため）。
【００５０  】
光透過層６ｃは、半透明性を有するフィルム又は板状の部材であって、ハーフミラー６ｂの下側に配置されている。光透過層６ｃは、本形態において、観客３に照明設備６ｄを見せないようにするための機能を有している。また、光透過層６ｃは、非ミラー状態においてのグラフィカルな床を演出するための機能を有している。尚、光透過層６ｃの設定は任意であるものとする。
【００５１  】
照明設備６ｄは、光透過層６ｃの下側に配置されている。また、照明設備６ｄは、配電盤６ｄ−１と、その配電盤６ｄ−１に設けられる多数の照明６ｄ−２（例えば蛍光灯）とを備えて構成されている。照明設備６ｄは、本形態において、パビリオン２のコンクリート基礎部分２ａ上に配置されている。
【００５２  】
上記映写機７は、本形態において二つ設けられている。また、映写機７は、それぞれ周壁部４と天井部５との連続部分に配置されている。具体的には、ミラー壁１０ａ及び１０ｃの間からスクリーン９ｂに映像を投射する映写機７ａと、ミラー壁１０ｂ及び１０ｃの間からスクリーン９ａに映像を投射する映写機７ｂとを有している。
【００５３  】
映写機７ａ、７ｂは、フィルムソース、デジタルソースを問わないものとする。また、映写機７ａ、７ｂは、水平方向を投射角度０度とすると、その０度から−１０度がフロント投射角度になるものとする（天井部５から下方向に離れるような配置の場合にはこの限りでないものとする）。尚、映写機７ａ、７ｂは、スクリーン裏側に投射するような配置にしてもよいものとする。
【００５４  】
上記音響機器８は、観客３に音を伝搬するためのものであって、図示しない機器本体と、複数のスピーカー８ａとを備えて構成されている。また、音響機器８は、映写機７、映像ソフト、演出照明機器（上記照明設備６ｄを含む）等に連動するように制御されている。
【００５５  】
複数のスピーカー８ａは、それぞれスクリーン９ａ、９ｂの裏側に配置されている。引用符号８ｂは、複数のスピーカー８ａをそれぞれ固定するためのスピーカー固定部材を示している。そのスピーカー固定部材８ｂは、コンクリート基礎部分２ａに固定されている。
【００５６  】
次に、上記構成に基づいて本発明の浮遊感体験型映像劇場１においての演出等を説明する。尚、説明は一例であるものとする。また、本発明の映像劇場における映像表示方法の要旨を含むものとする。
【００５７  】
図１及び図２において、複数の出入口１０ｃ−１が一斉に開き観客３の入場が可能な状態になると、浮遊感体験型映像劇場１の外で待っていた観客３の目には、床部６の全面が静かに光を放っている状態が見える。また、スクリーン９ａ、９ｂには、観客３を迎えるための映像が映し出されており、その映像が観客３の目に映る。入場する観客３の耳には、観客３を迎えるためのＢＧＭがスクリーン９ａ、９ｂ側から微かに聞こえてくる。
【００５８  】
観客３の全てが座席６ａ−１に座ったところで、スクリーン９ａ、９ｂには、メインの映像が映し出される。また、スクリーン９ａ、９ｂの裏側からは、そのメインの映像にあった音楽やナレーション等が流れてくる。この時、スクリーン９ａ、９ｂ以外の側壁面と、天井部５及び床部６は非ミラー状態になっている。
【００５９  】
ある程度メインの映像のストーリーが流れたところで、それまで非ミラー化手段により非ミラー状態となっていたミラー壁１０ａ〜１０ｃ及び天井部５と、照明設備６ｄからの光を透過して非ミラー状態となっていた床部６とがミラー状態に切り替わる。言い換えれば、ミラー壁１０ａ〜１０ｃ、天井部５、及び床部６が本来の機能を発揮するように切り替わる。
【００６０  】
ミラー壁１０ａ〜１０ｃ、天井部５、及び床部６がそれぞれ本来の機能を発揮すると、スクリーン９ａ、９ｂに映し出された映像は、ミラー壁１０ａ〜１０ｃ、天井部５、及び床部６に反射する。反射した映像は他のミラー面に反射する。そしてさらに、反射した映像は他のミラー面に反射する。その反射の繰り返しが無限に継続され、この時の観客３の目には、劇場の水平方向と上下方向とに映像が広がって見えるようになる（図５及び図６参照）。観客３は、水平方向及び上下方向からの映像に包まれ、恰も自分自身が映像の中に浮いているような浮遊感を体験する。
【００６１  】
メインの映像の投射が終了すると、床部６が非ミラー状態に切り替わる。すなわち、床部６の全面が入場の時と同じような静かに光を放った状態になる。複数の出入口１０ｃ−１が一斉に開き観客３が退場すると一連の演出が完了する。
【００６２  】
以上、図１ないし図６を参照しながら説明してきたように、本発明の浮遊感体験型映像劇場１は、水平方向及び上下方向から観客３を映像で包み込むことができる。従って、観客３に浮遊感を体験させることができる。また、従来の劇場よりも演出効果を高めることができる。
【００６３  】
その他、本発明は本発明の主旨を変えない範囲で種々変更実施可能なことは勿論である。
【００６４  】
すなわち、上述においては、スクリーンが二つ、ミラー壁が三つであったが、スクリーンを三つ、ミラー壁を二つにして周壁部を構成してもよいものとする。同様に、スクリーンを四つ、ミラー壁を一つにして周壁部を構成してもよいものとする。同様に、全部スクリーンで周壁部を構成してもよいものとする。
【００６５  】
また、スクリーンから一番遠くであって、観客の後側に位置するミラー壁（１０ｃ）を、映像の反射のない非ミラー壁に替えてもよいものとする。
【００６６  】
さらに、周壁部を平面視正五角形状以外の多角形状に変更してもよいものとする。
【００６７  】
さらにまた、天井部をスクリーンから遠ざかるにつれて床部に近づくような傾斜する状態に配置してもよいものとする（上述の形態におけるサイズの場合、約８度傾斜させることが好ましい）。
【００６８  】
さらにまた、博覧会のパビリオンに限らず、本発明の浮遊感体験型映像劇場１をテーマパークや映画館や科学館等に設置してもよいものとする。
【００６９  】
【発明の効果】
以上説明したように、請求項１に記載された本発明によれば、スクリーン以外の側壁面と天井及び床とを、ミラー状態と非ミラー状態とに切り替え可能に構成することにより、ミラー状態において、観客に浮遊感を体験させることができるという効果を奏する。
【００７０  】
請求項２に記載された本発明によれば、観客を囲むように映像を表示する平面視多角形状の周壁部と、映像を反射する天井部及び床部と、映写機と音響機器と、を含んで劇場を構成することにより、観客に浮遊感を体験させることができるという効果を奏する。
【００７１  】
請求項３に記載された本発明によれば、透明性を有する床とハーフミラーと照明設備とを含んで床部を構成することにより、映像の非投射時において、観客の映り込みを阻止することができるという効果を奏する。
【００７２  】
請求項４に記載された本発明によれば、床部を構成する床を強化ガラスで形成することにより、床部の強度を確保することができるという効果を奏する。また、床部を構成するハーフミラーをよりよく保護することができるという効果を奏する。
【００７３  】
請求項５に記載された本発明によれば、床部を構成するハーフミラーと照明設備との間に光透過層を介在させることにより、観客に照明設備を見せないようにすることができるという効果を奏する。また、非ミラー状態において、グラフィカルな床を演出することができるという効果を奏する。
【００７４  】
請求項６に記載された本発明によれば、天井部を劇場の水平方向に沿って配置することにより、映像を観客の上下方向に広がらせることができるという効果を奏する。また、天井部をスクリーンから遠ざかるにつれて床部に近づくような傾斜する状態に配置することにより、観客の上方の映像を球体状に広がらせることができるという効果を奏する。
【００７５  】
請求項７に記載された本発明によれば、天井とミラー幕とを含んで天井部を構成することにより、既知のミラー（鏡）よりも観客に対する安全性の確保を容易にすることができるという効果を奏する。
【００７６  】
請求項８に記載された本発明によれば、周壁部に非ミラー壁を含ませることにより、その非ミラー壁に劇場への出入口を設定することができる。従って、ミラー壁に出入口を設定する場合よりも映像の表示状態を向上させることができるという効果を奏する。
【００７７  】
請求項９に記載された本発明によれば、非ミラー化手段を更に含んで劇場を構成することにより、必要に応じて観客に浮遊感を体験させることができるという効果を奏する。
【００７８  】
請求項１０に記載された本発明によれば、周壁部を平面視正五角形状に形成することにより、十分な観客スペースを確保し且つコストを低く抑えることができるという効果を奏する。
【００７９  】
請求項１１に記載された本発明によれば、スクリーンに投射した映像を劇場の水平方向及び上下方向に反射させる方法を採用することにより、観客に浮遊感を体験させることができるという効果を奏する。
【００８０  】
請求項１２に記載された本発明によれば、少なくとも観客の下方向での反射機能を必要に応じて無くすことができるような方法を採用することにより、映像の非投射時において、観客の映り込みを阻止することができるという効果を奏する。
【００８１  】
請求項１３に記載された本発明によれば、スクリーン以外の側壁面と天井及び床とを、非ミラー状態からミラー状態に切り替える方法を採用することにより、ミラー状態において、観客に浮遊感を体験させることができるという効果を奏する。
【図面の簡単な説明】
【図１】本発明による浮遊感体験型映像劇場の一実施の形態を示す平面図である。
【図２】図１のＡ−Ａ線断面図である。
【図３】天井部の構成説明図である。
【図４】床部の構成説明図である。
【図５】浮遊感体験型映像劇場において観客が浮遊感を体験するイメージ図（上方へ映像が広がるイメージ）である。
【図６】浮遊感体験型映像劇場において観客が浮遊感を体験するイメージ図（下方へ映像が広がるイメージ）である。
【符号の説明】
１  浮遊感体験型映像劇場
２  パビリオン
３  観客
４  周壁部
５  天井部
５ａ  ミラー幕
５ｂ  天井
６  床部
６ａ  床
６ｂ  ハーフミラー
６ｃ  光透過層
６ｄ  照明設備
７  映写機
８  音響機器
８ａ  スピーカー
８ｂ  スピーカー固定部材
９  スクリーン
１０  ミラー壁
【図１】
2004329391.tif 000003
【図２】
2004329391.tif 000004
【図３】
2004329391.tif 000005
【図４】
2004329391.tif 000006
【図５】
2004329391.tif 000007
【図６】
2004329391.tif 000008